(57)【要約】【課題】ユーザの状況に応じて街路灯の点灯を制御することを目的としている。【解決手段】ユーザの複数の街路灯のそれぞれの通過時刻を検出する通過検出部と、前記通過時刻又は各街路灯の通過時刻から算出される街路灯間の移動時間に応じて、前記複数の街路灯の少なくとも１つの点灯形態を制御する点灯制御部と、を有する情報発信装置である。【選択図】図１
2019114365.tif 000002
【特許請求の範囲】
【請求項１】
ユーザの複数の街路灯のそれぞれの通過時刻を検出する通過検出部と、
前記通過時刻又は各街路灯の通過時刻から算出される街路灯間の移動時間に応じて、前記複数の街路灯の少なくとも１つの点灯形態を制御する点灯制御部と、を有する情報発信装置。
【請求項２】
前記点灯制御部は、
前記ユーザ毎の前記各街路灯の通過時刻に関する統計情報を参照し、前記各街路灯の前記通過時刻又は前記街路灯間の移動時間と、前記統計情報との比較結果に応じて、前記街路灯の点灯形態を制御する、請求項１記載の情報発信装置。
【請求項３】
前記点灯制御部は、
前記通過時刻又は前記街路灯間の移動時間と前記統計情報との比較結果と、点灯形態とが対応付けられた情報を参照し、
前記街路灯の点灯形態を、前記比較結果と対応する点灯形態に変更させる、請求項２記載の情報発信装置。
【請求項４】
前記通過時刻又は前記街路灯間の移動時間に応じて、前記ユーザと対応付けられた携帯端末へメッセージを送信するメッセージ送信部を有する請求項３記載の情報発信装置。
【請求項５】
前記メッセージ送信部は、
前記通過時刻又は前記街路灯間の移動時間と前記統計情報との比較結果と、メッセージとが対応付けられた情報を参照し、前記比較結果と対応したメッセージを前記携帯端末へ送信する請求項４記載の情報発信装置。
【請求項６】
コンピュータによる情報発信方法であって、該コンピュータが、
ユーザの複数の街路灯のそれぞれの通過時刻を検出し、
前記通過時刻又は各街路灯の通過時刻から算出される街路灯間の移動時間に応じて、前記複数の街路灯の少なくとも１つの点灯形態を制御する、情報発信方法。
【請求項７】
ユーザの複数の街路灯のそれぞれの通過時刻を検出する処理と、
前記通過時刻又は各街路灯の通過時刻から算出される街路灯間の移動時間に応じて、前記複数の街路灯の少なくとも１つの点灯形態を制御する処理と、をコンピュータに実行させる情報発信プログラム。
【請求項８】
複数の街路灯と、
ユーザの前記複数の街路灯のそれぞれの通過時刻を検出する通過検出部及び、前記通過時刻又は各街路灯の通過時刻から算出される街路灯間の移動時間に応じて、前記複数の街路灯の少なくとも１つの点灯形態を制御する点灯制御部を有する情報発信装置と、
を有する情報発信システム。
【発明の詳細な説明】
【技術分野】
【０００１】
本発明は、情報発信装置、情報発信方法、情報発信プログラム及び情報発信システムに関する。
【背景技術】
【０００２】
従来から、道に沿って設置された街路灯の存在が知られている。これらの街路灯は、防犯灯として利用される場合が主であるが、防犯灯としての用途以外にも用いられている。具体的には、例えば、端末信号によって特定された人の街路灯の通過時間を記録し、２機の街路灯間の移動時間により、特定された人の移動方向と速度を求めること等が知られている。
【先行技術文献】
【特許文献】
【０００３】
【特許文献１】特開２０１４−１３０６８０号公報
【特許文献２】特開平１０−２０６１８３号公報
【発明の概要】
【発明が解決しようとする課題】
【０００４】
近年では、道に沿って設置されている、という街路灯の独特な点を利用して、道を歩く人が活用できるサービスを提供することが検討されている。しかしながら、例えば、街路灯を通過する人に向けてメッセージを配信する等といったサービスである場合、サービスを受ける人に関する情報が無いと、有効な情報を配信することが困難となる。また、不特定多数に向けたメッセージを配信するサービス等では、快く思わない人が存在する可能性もある。
【０００５】
１つの側面では、本発明は、ユーザの状況に応じて街路灯の点灯を制御することを目的としている。
【課題を解決するための手段】
【０００６】
一つ態様では、ユーザの複数の街路灯のそれぞれの通過時刻を検出する通過検出部と、前記通過時刻又は各街路灯の通過時刻から算出される街路灯間の移動時間に応じて、前記複数の街路灯の少なくとも１つの点灯形態を制御する点灯制御部と、を有する情報発信装置である。
【０００７】
上記各部は、上記各部を実現する処理、各部を実現する手順としても良く、各処理をコンピュータに実行させるプログラムを記憶したコンピュータ読み取り可能な記憶媒体とすることもできる。
【発明の効果】
【０００８】
ユーザの状況に応じて街路灯の点灯を制御できる。
【図面の簡単な説明】
【０００９】
【図１】第一の情報発信システムの概要を説明する図である。
【図２】第一の実施形態の情報発信システムのシステム構成の一例を示す図である。
【図３】第一の実施形態の情報発信装置のハードウェア構成の一例を説明する図である。
【図４】第一の実施形態の街路灯のハードウェア構成の一例を説明する図である。
【図５】第一の実施形態の街路灯データベースの一例を示す図である。
【図６】第一の実施形態のユーザデータベースの一例を示す図である。
【図７】第一の実施形態の統計データベースの一例を示す図である。
【図８】第一の実施形態の情報発信システムの有する各装置の機能を説明する図である。
【図９】第一の実施形態の情報発信装置の動作を説明するフローチャートである。
【図１０】第二の実施形態の情報発信システムのシステム構成の一例を示す図である。
【図１１】第二の実施形態のユーザデータベースの一例を示す図である。
【図１２】第二の実施形態の統計データベースの一例を示す図である。
【図１３】第二の実施形態の情報発信システムの有する各装置の機能を説明する図である。
【図１４】第二の実施形態の情報発信装置の動作を説明するフローチャートである。
【図１５】第二の実施形態の携帯端末の表示例を示す第一の図である。
【図１６】第二の実施形態の携帯端末の表示例を示す第二の図である。
【図１７】第三の実施形態の情報発信システムのシステム構成の一例を示す図である。
【図１８】第三の実施形態のユーザデータベースの一例を示す図である。
【図１９】第三の実施形態の統計データベースの一例を示す図である。
【図２０】第三の実施形態の情報発信システムの有する各装置の機能を説明する図である。
【図２１】第三の実施形態の情報発信装置の動作を説明するフローチャートである。
【図２２】第三の実施形態の携帯端末の表示例を示す図である。
【発明を実施するための形態】
【００１０】
（第一の実施形態）
以下に図面を参照して、第一の実施形態について説明する。図１は、第一の実施形態の情報発信システムの概要を説明する図である。
【００１１】
本実施形態の情報発信システム１では、情報発信システム１のユーザＰが、街路灯を通過した時刻（以下、通過時刻）や、街路灯から街路灯までの移動にかかる時間（以下、移動時間）と、に応じて、街路灯の点灯形態を変更する。本実施形態では、このように、街路灯の点灯形態を制御することで、ユーザＰに対して、自身の生活や行動のパターンの変化等を気付かせることができる。
【００１２】
以下に、情報発信システム１の動作の概要を説明する。図１では、ユーザＰが、街路灯１００−１、１００−２、１００−３の順に各街路灯の近傍を通過する場合について説明する。
【００１３】
情報発信システム１において、街路灯１００−１は、ユーザＰの携帯端末３００が街路灯１００−１の近傍を通過したことを検出すると、情報発信装置２００に対し、ユーザＰの通過時刻ｔ１を送信する。
【００１４】
情報発信装置２００は、この通過時刻ｔ１が、例えば、通過に関する所定の条件を満たす時刻である場合に、ユーザＰが次に通過するであろう街路灯１００−２の点灯形態を制御する。
【００１５】
具体的には、情報発信装置２００は、通過時刻ｔ１が通過に関する所定の条件を満たす場合、街路灯１００−２から携帯端末３００の通過時刻ｔ２を受信すると、街路灯１００−２の点灯形態を、通過に関する所定の条件と対応する形態に変更させる。
【００１６】
ユーザＰが次に通過するであろう街路灯１００−２は、例えば、街路灯１００−１が設置された道のユーザＰの進行方向において、街路灯１００−１と最も近い街路灯としても良い。また、ユーザＰが次に通過するであろう街路灯１００−２は、街路灯１００−１が設置された道に設置された街路灯のうち、街路灯１００−１を中心とした所定数の街路灯としても良い。以下の説明では、ユーザが次に通過するであろう街路灯を、次の街路灯と表現することがある。
【００１７】
通過に関する所定の条件とは、例えば、所定の時刻よりも早い時刻としても良いし、所定の時刻よりも遅い時刻としても良い。また、通過に関する所定の条件とは、例えば、ある時刻からある時刻までの間の時刻であっても良い。
【００１８】
本実施形態では、通過に関する所定の条件は、例えば、ユーザＰによって任意に決められても良い。以下の説明では、通過に関する所定の条件を、通過条件と呼ぶ。
【００１９】
また、本実施形態の情報発信システム１において、情報発信装置２００は、街路灯１００−２が、ユーザＰの携帯端末３００が街路灯１００−２の近傍を通過したことを検出すると、街路灯１００−２からユーザＰの通過時刻ｔ２を受信する。そして、情報発信装置２００は、通過時刻ｔ２が通過条件を満たすとき、街路灯１００−２の次の街路灯である街路灯１００−３の点灯形態を制御する。
【００２０】
具体的には、情報発信装置２００は、通過時刻ｔ２が通過条件を満たす場合、街路灯１００−３から携帯端末３００の通過時刻ｔ３を受信したとき、街路灯１００−３の点灯形態を変更させる。
【００２１】
また、情報発信装置２００は、街路灯１００−２から通過時刻ｔ２を受信すると、過去に受信した通過時刻ｔ１と通過時刻ｔ２とから、街路灯１００−１から街路灯１００−２までのユーザＰ（携帯端末３００）の移動時間Ｔ１を算出する。
【００２２】
そして、情報発信装置２００は、算出された移動時間Ｔ１が、移動に関する所定の条件を満たす場合、街路灯１００−２の次の街路灯である街路灯１００−３の点灯形態を制御する。
【００２３】
具体的には、情報発信装置２００は、街路灯１００−３から携帯端末３００の通過時刻ｔ３を受信すると、街路灯１００−３の点灯形態を、移動に関する所定の条件と対応する形態に変更させる。
【００２４】
移動に関する所定の条件とは、例えば、所定の時間よりも長い時間としても良いし、所定の時間よりも短い時間としても良い。また、移動に関する所定の条件とは、例えば、ある長さの時間からある長さの時間までの範囲内としても良い。
【００２５】
実施形態では、移動に関する所定の条件は、例えば、ユーザＰによって任意に決められても良い。以下の説明では、移動に関する所定の条件を、移動条件と呼ぶ。
【００２６】
尚、情報発信装置２００は、通過時刻ｔ１を受信した際には、過去の通過時刻を保持していないため、移動時間に関する処理は行わなくても良い。
【００２７】
このように、本実施形態では、ユーザＰが街路灯を通過した通過時刻や、街路灯間の移動時間等に応じて、ユーザが近傍を通過した街路灯の点灯形態を制御することで、ユーザに対し、生活パターンや行動の変化等を示すことができる。したがって、本実施形態によれば、ユーザの状況に応じて街路灯の点灯を制御することができる。
【００２８】
図２は、第一の実施形態の情報発信システムのシステム構成の一例を示す図である。本実施形態の情報発信システム１は、街路灯１００−１、１００−２、１００−３と、情報発信装置２００と、携帯端末３００と、を有する。
【００２９】
本実施形態の街路灯１００−１、１００−２、１００−３は、それぞれが、通知制御部１１０−１、１１０−２、１１０−３を有する。以下の説明では、街路灯１００−１、１００−２、１００−３のそれぞれを区別しない場合には、街路灯１００と呼ぶ。また、以下の説明では、通知制御部１１０−１、１１０−２、１１０−３のそれぞれを区別しない場合には、通知制御部１１０と呼ぶ。
【００３０】
尚、図２の例では、街路灯１００は３台としたが、これに限定されない。情報発信システム１に含まれる街路灯１００の数は、任意の数であって良い。また、携帯端末３００も同様に、情報発信システム１に含まれる携帯端末３００の数は任意の数であって良い。
【００３１】
本実施形態の街路灯１００において、通知制御部１１０は、街路灯１００を中心とする所定範囲の領域に到達するビーコン信号を発信し、このビーコン信号を受信した携帯端末３００から送信される応答信号を受信する。また、通知制御部１１０は、携帯端末３００から応答信号を受信すると、受信した応答信号を情報発信装置２００へ送信する。
【００３２】
本実施形態において、携帯端末３００から街路灯１００へ送信される応答信号とは、携帯端末３００を識別する識別子となり得る信号である。本実施形態における応答信号は、携帯端末３００や、携帯端末３００と対応付けられたユーザを特定する信号となり得る。以下の説明では、携帯端末３００から街路灯１００に送信される応答信号を、端末ＩＤと呼ぶ。
【００３３】
本実施形態の情報発信装置２００は、街路灯データベース２１０、ユーザデータベース２２０、統計データベース２３０、情報発信処理部２４０を有する。
【００３４】
街路灯データベース２１０は、街路灯１００を識別するための識別情報（街路灯のＩＤ）と、街路灯１００が設置された場所とが対応付けられた情報が格納されている。
【００３５】
ユーザデータベース２２０には、ユーザ毎の、通過時刻が通過条件を満たす場合の街路灯１００の点灯形態と、移動時間が移動条件を満たす場合の街路灯１００の点灯形態と、を示す情報が格納されている。
【００３６】
統計データベース２３０には、ユーザ毎の通過時刻と移動時間とを示す情報が格納されている。
【００３７】
情報発信処理部２４０は、ユーザの街路灯１００の通過時刻が通過条件を満たす場合と、ユーザの街路灯１００間の移動時間が移動条件を満たす場合に、ユーザが通過した街路灯１００の点灯形態を変更させる。
【００３８】
本実施形態の携帯端末３００は、街路灯１００からビーコン信号を受信すると、応答信号を街路灯１００へ送信する。
【００３９】
尚、本実施形態では、携帯端末３００が情報発信システム１に含まれるものとしたが、これに限定されない。携帯端末３００は、情報発信システム１に含まれなくても良い。言い換えれば、情報発信システム１は、街路灯１００と情報発信装置２００を含み、携帯端末３００を含んでいなくても良い。
【００４０】
図３は、第一の実施形態の情報発信装置のハードウェア構成の一例を説明する図である。
【００４１】
本実施形態の情報発信装置２００は、それぞれバスＢで相互に接続されている入力装置２１、出力装置２２、ドライブ装置２３、補助記憶装置２４、メモリ装置２５、演算処理装置２６及びインターフェース装置２７を含む情報処理装置である。
【００４２】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００４３】
情報発信プログラムは、情報発信装置２００を制御する各種プログラムの少なくとも一部である。情報発信プログラムは例えば記憶媒体２８の配布やネットワークからのダウンロード等によって提供される。情報発信プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００４４】
また、情報発信プログラムは、情報発信プログラムを記録した記憶媒体２８がドライブ装置２３にセットされると、記憶媒体２８からドライブ装置２３を介して補助記憶装置２４にインストールされる。ネットワークからダウンロードされた情報発信プログラムは、インターフェース装置２７を介して補助記憶装置２４にインストールされる。
【００４５】
補助記憶装置２４は、インストールされた情報発信プログラムを格納すると共に、街路灯データベース２１０、ユーザデータベース２２０、統計データベース２３０等の必要なファイル、データ等を格納する。メモリ装置２５は、情報発信装置２００の起動時に補助記憶装置２４から情報発信プログラムを読み出して格納する。そして、演算処理装置２６はメモリ装置２５に格納された情報発信プログラムに従って、後述するような情報発信処理部２４０が実行する各種処理を実現している。
【００４６】
本実施形態の携帯端末３００のハードウェア構成は、情報発信装置２００と同様であるから、説明を省略する。尚、携帯端末３００は、例えば、タブレット型の携帯端末や、スマートフォン等であっても良く、入力装置２１と出力装置２２との代わりに、タッチパネル等により実現される表示操作装置を有していても良い。
【００４７】
図４は、第一の実施形態の街路灯のハードウェア構成の一例を説明する図である。
【００４８】
本実施形態の街路灯１００は、それぞれバスＢで相互に接続されている発光体１０１、通信装置１０２、ドライブ装置１０３、補助記憶装置１０４、メモリ装置１０５、演算処理装置１０６及びインターフェース装置１０７を含む情報処理装置である。
【００４９】
発光体１０１は、例えばＬＥＤ（Light  Emitting  Diode）等である。通信装置１０２は、例えば、街路灯１００の周囲に対して送信要求信号を送信し、応答を受け付けるための装置である。インターフェース装置１０７はネットワークに接続する為に用いられる。
【００５０】
発光制御プログラムは、街路灯１００を制御する各種プログラムの少なくとも一部である。発光制御プログラムは例えば記憶媒体１０８の配布やネットワークからのダウンロードなどによって提供される。発光制御プログラムを記録した記憶媒体１０８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００５１】
また、発光制御プログラムは、発光制御プログラムを記録した記憶媒体１０８がドライブ装置１０３にセットされると、記憶媒体１０８からドライブ装置１０３を介して補助記憶装置１０４にインストールされる。ネットワークからダウンロードされた発光制御プログラムは、インターフェース装置１０７を介して補助記憶装置１０４にインストールされる。
【００５２】
補助記憶装置１０４は、インストールされた発光制御プログラムを格納すると共に、必要なファイル、データ等を格納する。メモリ装置１０５は、コンピュータの起動時に補助記憶装置１０４から発光制御プログラムを読み出して格納する。そして、演算処理装置１０６はメモリ装置１０５に格納された発光制御プログラムに従って、後述するような各種処理を実現している。
【００５３】
次に、図５乃至図７を参照して、本実施形態の情報発信装置２００の有する各データベースについて説明する。
【００５４】
以下に説明する各データベースは、情報発信装置２００の補助記憶装置２４やメモリ装置２５等の記憶装置に設けられていても良いし、情報発信装置２００の外部の記憶装置に設けられていても良い。
【００５５】
図５は、第一の実施形態の街路灯データベースの一例を示す図である。本実施形態の街路灯データベース２１０は、情報の項目として、街路灯ＩＤと設置場所とを有する。項目「街路灯ＩＤ」の値は、街路灯１００を特定するための識別情報である。項目「設置場所」の値は、街路灯ＩＤによって特定される街路灯１００が設置された場所を示す。
【００５６】
街路灯データベース２１０において、項目「街路灯ＩＤ」の値と、項目「設置場所」の値とは、対応付けられており、項目「街路灯ＩＤ」の値と、項目「設置場所」の値とを含む情報を街路灯情報と呼ぶ。
【００５７】
図５の例では、街路灯ＩＤ「Ｇ００１」の街路灯１００は、○府×市中央区・・・設置されていることがわかる。
【００５８】
尚、本実施形態の街路灯データベース２１０は、予め情報発信装置２００らに設けられていても良い。
【００５９】
図６は、第一の実施形態のユーザデータベースの一例を示す図である。本実施形態のユーザデータベース２２０は、予め、情報発信システム１のユーザによって入力された情報が格納されているものとしても良い。
【００６０】
本実施形態のユーザデータベース２２０は、情報の項目として、ユーザＩＤ、端末ＩＤ、通過条件を満たす場合の点灯形態、移動条件を満たす場合の点灯形態を有する。ユーザデータベース２２０において、項目「ユーザＩＤ」と、その他の項目とは対応付けられている。以下の説明では、項目「ユーザＩＤ」の値と、その他の項目の値と、を含む情報を、点灯形態情報と呼ぶ。
【００６１】
項目「ユーザＩＤ」の値は、ユーザを識別するための識別情報を示す。項目「端末ＩＤ」の値は、ユーザと対応付けられた携帯端末３００を識別するための識別情報である。
【００６２】
項目「通過条件を満たす場合の点灯形態」の値とは、通過時刻が通過条件を満たす場合に携帯端末３００が通過した街路灯１００の点灯形態を示す。項目「移動条件を満たす場合の点灯形態」の値とは、移動時間が移動条件を満たす場合に携帯端末３００が通過した街路灯１００の点灯形態を示す。
【００６３】
尚、ユーザデータベース２２０には、ユーザ毎の通過条件と移動条件が格納されていても良い。その場合、ユーザデータベース２２０において、項目「通過条件を満たす場合の点灯形態」は、「通過条件」と「点灯形態」とを対応付けた項目であっても良く、項目「移動条件を満たす場合の点灯形態」は、「移動条件」と「点灯形態」とを対応付けた項目であっても良い。
【００６４】
図６の例では、ユーザＩＤ「００１」のユーザと対応付けられた端末ＩＤ「１０１」が街路灯１００を通過したときの通過時刻が通過条件を満たす場合に、次の街路灯１００の点灯形態を「黄色で点滅」とすることがわかる。また、ユーザＩＤ「００１」のユーザと対応付けられた端末ＩＤ「１０１」が街路灯１００を通過したときの街路灯１００間の移動時間が移動条件を満たす場合に、次の街路灯１００の点灯形態を「青色で点灯」とすることがわかる。
【００６５】
また、ユーザデータベース２２０は、例えば、情報の項目として、「通過条件と移動条件の両方を満たす場合の点灯形態」を有していても良い。その場合、項目「通過条件と移動条件の両方を満たす場合の点灯形態」の値は、通過時刻が通過条件を満たし、且つ、移動時間が移動条件を満たす場合の点灯形態を示す。
【００６６】
図７は、第一の実施形態の統計データベースの一例を示す図である。統計データベース２３０は、情報発信装置２００が街路灯１００から応答信号を受信する度に更新される。また、統計データベース２３０は、例えば、ユーザＩＤ毎に設けられていても良い。
【００６７】
本実施形態の統計データベース２３０は、情報の項目として、端末ＩＤ、通過時刻、移動時間を有し、項目「端末ＩＤ」と、その他の項目とが対応付けられている。以下の説明では、統計データベース２３０において、項目「端末ＩＤ」の値と、その他の項目の値とを含む情報を統計情報と呼ぶ。
【００６８】
項目「通過時刻」の値は、街路灯１００が携帯端末３００から応答信号として端末ＩＤを受信した時刻を示す。項目「移動時間」の値は、街路灯１００が携帯端末３００から応答信号を受信した時刻から、次の街路灯１００が携帯端末３００から応答信号を受信した時刻までの時間を示す。
【００６９】
図７の例では、例えば、街路灯１００が、端末ＩＤ「１０１」により識別される携帯端末３００から応答信号を受信した時刻が７：０３であり、直前の街路灯１００が携帯端末３００から応答信号を受信した時刻から７：０３までの時間が２分１秒であることがわかる。
【００７０】
次に、図８を参照して、本実施形態の情報発信システム１の有する各装置の機能について説明する。図８は、第一の実施形態の情報発信システムの有する各装置の機能を説明する図である。
【００７１】
始めに、街路灯１００について説明する。本実施形態の街路灯１００は、通知制御部１１０を有する。
【００７２】
本実施形態の通知制御部１１０は、発光体制御部１１１、ビーコン発信部１１２、応答受信部１１３、識別子送信部１１４を有する。
【００７３】
本実施形態の発光体制御部１１１は、情報発信装置２００から、点灯形態の変更の指示を受け付けると、発光体１０１から発光される光の色を変更する。尚、発光体１０１から発光される光の色は、情報発信装置２００から指示されるものであって良い。
【００７４】
ビーコン発信部１１２は、街路灯１００の通信装置１０２により、街路灯１００を中心とする所定範囲の領域に到達するビーコン信号を発信する。
【００７５】
応答受信部１１３は、ビーコン信号を受信した携帯端末３００から、ビーコン信号に対する応答として、携帯端末３００の端末ＩＤを受信する。本実施形態では、携帯端末３００は、例えば携帯電話やスマートフォン等のような通話機能を有しているものとし、ビーコン信号に対する応答として、自機の電話番号を街路灯１００に送信しても良い。言い換えれば、本実施形態の端末ＩＤは、携帯端末３００の電話番号であっても良い。
【００７６】
尚、携帯端末３００が、ビーコン信号の応答として街路灯１００に送信する応答信号は、携帯端末３００と対応付けられたユーザを特定するユーザＩＤであっても良い。
【００７７】
識別子送信部１１４は、ビーコン信号の応答として携帯端末３００から受信した端末ＩＤを、端末ＩＤを受信した時刻を示す情報と対応付けて、情報発信装置２００へ送信する。言い換えれば、識別子送信部１１４は、携帯端末３００の端末ＩＤと、携帯端末３００の通過時刻とを対応付けて情報発信装置２００へ送信する。
【００７８】
以下の説明では、識別子送信部１１４から情報発信装置２００へ送信される情報を、端末検出情報と呼ぶ。
【００７９】
次に、情報発信装置２００について説明する。本実施形態の情報発信装置２００は、情報発信処理部２４０を有する。情報発信処理部２４０は、情報発信装置２００の演算処理装置２６がメモリ装置２５等に格納された情報発信プログラムを読み出して実行することで実現される。
【００８０】
本実施形態の情報発信処理部２４０は、入力受付部２４１、通信部２４２、通過検出部２４３、移動時間算出部２４４、点灯制御部２４５を有する。
【００８１】
入力受付部２４１は、情報発信装置２００に対する各種の入力を受け付ける。具体的には、入力受付部２４１は、例えば、点灯形態情報の入力等を受け付ける。
【００８２】
通信部２４２は、情報発信装置２００と外部装置との通信を行う。具体的には、通信部２４２は、街路灯１００から送信される端末検出情報を受信する。また、通信部２４２は、街路灯１００に対して、点灯形態の変更指示を示す情報を送信する。また、通信部２４２は、携帯端末３００との通信を行っても良い。通信部２４２によって受信された端末検出情報は、統計データベース２３０に格納される。
【００８３】
通過検出部２４３は、通信部２４２が街路灯１００から端末検出情報を受信したことを検出する。言い換えれば、通過検出部２４３は、携帯端末３００が街路灯１００の近傍を通過したことを検出する。尚、街路灯１００の近傍とは、街路灯１００から発信されるビーコン信号が到達する所定範囲の領域を示す。
【００８４】
尚、本実施形態の通過検出部２４３は、例えば、携帯端末３００と対応付けられたユーザが日常的に通過する経路を示す情報を保持していても良い。以下の説明では、経路を示す情報を経路情報と呼ぶ。具体的には、通過検出部２４３には、例えば、ユーザによって予め入力された経路情報を保持していても良い。また、通過検出部２４３は、例えば、携帯端末３００の位置を示す位置情報から推定された経路を示す経路情報を保持していても良い。経路の推定は、例えば、情報発信装置２００において行われても良いし、携帯端末３００において行われても良いし、他の装置によって行われても良い。
【００８５】
移動時間算出部２４４は、統計データベース２３０を参照し、２つの端末検出情報に含まれる通過時刻に基づき、２つの街路灯１００間の携帯端末３００の移動時間を算出する。算出された移動時間は、統計データベース２３０に格納される。
【００８６】
より具体的には、移動時間算出部２４４は、端末検出情報を受信すると、統計データベース２３０に格納された統計情報のうち、この端末検出情報に含まれる通過時刻と、最も近い時刻である通過時刻を取得し、２つの通過時刻の差を移動時間としても良い。
【００８７】
点灯制御部２４５は、統計データベース２３０を参照し、通過時刻が通過条件を満たすか否かを判定し、通過条件を満たす場合に、ユーザデータベース２２０を参照し、携帯端末３００が通過した街路灯１００の点灯形態を変更させる。また、点灯制御部２４５は、統計データベース２３０を参照し、移動時間が移動条件を満たすか否かを判定し、移動条件を満たす場合に、ユーザデータベース２２０を参照し、携帯端末３００が通過した街路灯１００の点灯形態を変更させる。点灯制御部２４５の処理の詳細は後述する。
【００８８】
次に、携帯端末３００について説明する。本実施形態の携帯端末３００は、街路灯通信部３１０を有する。
【００８９】
本実施形態の街路灯通信部３１０は、例えば、街路灯１００から発信されるビーコン信号に対する応答として、ユーザＩＤを街路灯１００へ送信する。
【００９０】
尚、図８の例では、情報発信システム１には、街路灯１００、情報発信装置２００、携帯端末３００が含まれるものとしているが、これに限定されない。本実施形態では、街路灯１００と情報発信装置２００とを含む情報発信システム１０としても良い。
【００９１】
次に、図９を参照して、本実施形態の情報発信装置２００の動作を説明する。図９は、第一の実施形態の情報発信装置の動作を説明するフローチャートである。
【００９２】
本実施形態の情報発信装置２００の情報発信処理部２４０は、通過検出部２４３により、通信部２４２が街路灯１００から端末検出情報を受信したか否かを判定する（ステップＳ９０１）。ステップＳ９０１において、端末検出情報を受信していない場合、情報発信処理部２４０は、端末検出情報を受信するまで待機する。
【００９３】
ステップＳ９０１において、端末検出情報を受信した場合、通過検出部２４３は、受信した端末検出情報を統計データベース２３０へ格納する（ステップＳ９０２）。
【００９４】
続いて、情報発信処理部２４０は、移動時間算出部２４４により、統計データベース２３０に過去に、端末ＩＤが一致する過去の統計情報が格納されているか否かを判定する（ステップＳ９０３）。
【００９５】
ステップＳ９０３において、該当する統計情報が格納されていない場合、情報発信処理部２４０は、後述するステップＳ９０５へ進む。ステップＳ９０３において、該当する統計情報が格納されている場合、情報発信処理部２４０は、移動時間算出部２４４により、統計データベース２３０から、過去の統計情報のうち、受信した端末検出情報に含まれる通過時刻と最も近い通過時刻を取得する。ここで、取得した通過時刻とは、ステップＳ９０１で受信した端末検出情報を送信した街路灯１００をユーザが通過する直前に、情報発信装置２００が、このユーザが通過した街路灯１００から受信した端末検出情報に含まれる通過時刻である。
【００９６】
移動時間算出部２４４は、ステップＳ９０１で受信した端末検出情報に含まれる通過時刻と、統計データベース２３０から取得した通過時刻と、を用いて、街路灯１００間の移動時間を算出する。そして、移動時間算出部２４４は、ステップＳ９０１で受信した端末検出情報と、移動時間とを対応づけて統計情報とし、統計データベース２３０へ格納する（ステップＳ９０４）。
【００９７】
次に、情報発信処理部２４０は、点灯制御部２４５により、端末検出情報に含まれる通過時刻が通過条件を満たすか否かを判定する（ステップＳ９０５）。ステップＳ９０５において、通過条件を満たさない場合、情報発信処理部２４０は、後述するステップＳ９０７へ進む。
【００９８】
ステップＳ９０５において、通過条件を満たす場合、点灯制御部２４５は、ユーザデータベース２２０を参照し、端末ＩＤと対応付けられた点灯形態情報から、通過条件を満たす場合の点灯形態を示す情報を取得し、次の街路灯１００へ送信する（ステップＳ９０６）。
【００９９】
尚、本実施形態では、例えば、端末検出情報に、端末検出情報を送信した街路灯１００を特定する街路灯ＩＤが含まれていても良い。この場合、点灯制御部２４５は、街路灯データベース２１０を参照し、街路灯ＩＤと対応する設置場所から最も近い場所と対応付けられた街路灯ＩＤによって特定される街路灯１００を次の街路灯１００としても良い。
【０１００】
また、本実施形態では、例えば、情報発信装置２００は、端末検出情報と共に、携帯端末３００の現在地を示す位置情報を取得し、街路灯データベース２１０を参照し、位置情報が示す位置から２番目に近い街路灯１００を次の街路灯１００としても良い。
【０１０１】
続いて、点灯制御部２４５は、算出した移動時間が移動条件を満たすか否かを判定する（ステップＳ９０７）。ステップＳ９０７において、移動条件を満たさない場合、情報発信処理部２４０は、後述するステップＳ９０９へ進む。
【０１０２】
ステップＳ９０７において、移動条件を満たす場合、点灯制御部２４５は、ユーザデータベース２２０を参照し、端末ＩＤと対応付けられた点灯形態情報から、移動条件を満たす場合の点灯形態を示す情報を取得し、次の街路灯１００へ送信する（ステップＳ９０８）。
【０１０３】
続いて、情報発信処理部２４０は、通過検出部２４３により、次の街路灯１００から端末検出情報を受信したか否かを判定する（ステップＳ９０９）。ステップＳ９０９において、該当する端末検出情報を受信しない場合、情報発信処理部２４０は、該当する端末検出情報を受信するまで待機する。
【０１０４】
ステップＳ９０９において、該当する端末検出情報を受信した場合、点灯制御部２４５は、次の街路灯１００へ点灯形態を示す情報が送信済みか否かを判定する（ステップＳ９１０）。ステップＳ９１０において、点灯形態を示す情報を送信していない場合、情報発信処理部２４０は、後述するステップＳ９１２へ進む。
【０１０５】
ステップＳ９１０において、点灯形態を示す情報が送信済みであった場合、点灯制御部２４５は、送信済みの点灯形態を示す情報に基づく点灯形態の変更指示を次の街路灯１００へ送信する（ステップＳ９１１）。
【０１０６】
尚、このとき、例えば、通過条件を満たす場合の点灯形態を示す情報と、移動条件を満たす場合の点灯形態を示す情報と、の両方が次の街路灯１００に送信されていた場合、次の街路灯１００は、何れか一方の点灯形態を示す情報を優先させても良い。点灯形態を示す情報の優先順位は、例えば、ユーザによって設定されても良く、情報発信システム１の管理者等によって設定されても良い。
【０１０７】
また、本実施形態では、例えば、ユーザデータベース２２０において、通過条件と移動条件の両方を満たす場合の点灯形態を示す情報を保持しており、通過条件及び移動条件を満たす場合には、対応する点灯形態を示す情報を次の街路灯１００に送信しても良い。
【０１０８】
続いて、情報発信処理部２４０は、処理を終了するか否かを判定する（ステップＳ９１２）。
【０１０９】
本実施形態の情報発信処理部２４０は、例えば、一定時間、街路灯１００から端末検出情報を受信しない場合に、処理を終了すると判定しても良い。言い換えれば、情報発信処理部２４０は、携帯端末３００の移動が停止したとき、処理を終了すると判定しても良い。また、本実施形態では、情報発信装置２００に、ユーザの経路が格納さてれおり、携帯端末３００の位置を示す位置情報が、経路の終端の近傍の位置を示しているとき、処理を終了するものと判定しても良い。
【０１１０】
ステップＳ９１２において、処理を終了しない、と判定された場合、情報発信処理部２４０は、ステップＳ９０２へ戻る。ステップＳ９１２において、処理を終了する、と判定された場合、情報発信処理部２４０は、処理を終了する。
【０１１１】
以上のように、本実施形態によれば、街路灯１００をユーザが通過する時刻や、街路灯１００間の移動時間等に応じて、ユーザが通過した街路灯１００の点灯形態を変更することができ、ユーザに行動のパターン等の変化を通知することができる。したがって、本実施形態によれば、ユーザの状況に応じて街路灯１００の点灯を制御することができる。
【０１１２】
（第二の実施形態）
以下に図面を参照して、第二の実施形態について説明する。第二の実施形態では、通過条件と移動条件を、ユーザ毎の平均通過時刻と平均移動時間を用いた条件とした点が、第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１１３】
図１０は、第二の実施形態の情報発信システムのシステム構成の一例を示す図である。実施形態の情報発信システム１Ａは、街路灯１００−１、１００−２、１００−３と、情報発信装置２００Ａと、携帯端末３００と、を有する。
【０１１４】
本実施形態の情報発信装置２００Ａは、街路灯データベース２１０、ユーザデータベース２２０Ａ、統計データベース２３０Ａ、情報発信処理部２４０Ａを有する。
【０１１５】
尚、図１０の例では、情報発信システム１Ａには、街路灯１００、情報発信装置２００Ａ、携帯端末３００が含まれるものとしているが、これに限定されない。本実施形態では、街路灯１００と情報発信装置２００Ａとを含む情報発信システム１０Ａとしても良い。
【０１１６】
次に、図１１及び図１２を参照して、本実施形態のユーザデータベース２２０Ａと統計データベース２３０Ａについて説明する。
【０１１７】
図１１は、第二の実施形態のユーザデータベースの一例を示す図である。本実施形態のユーザデータベース２２０Ａは、情報の項目として、ユーザＩＤ、端末ＩＤ、通過時刻が平均通過時刻より遅い場合、移動条件が平均移動時間より長い場合を有する。
【０１１８】
つまり、本実施形態では、通過条件は、通過時刻が平均通過時刻より遅い時刻であることであり、移動条件は、移動時間が平均移動時間よりも長い時間であることである。
【０１１９】
項目「通過時刻が平均通過時刻より遅い場合」は、項目「点灯形態」と項目「メッセージ」と対応付けられている。項目「通過時刻が平均通過時刻より遅い場合」と対応付く項目「点灯形態」の値は、携帯端末３００の街路灯１００を通過した時刻が、平均通過時刻より遅い時刻である場合に、次の街路灯１００へ送信される点灯形態を示す情報である。
【０１２０】
項目「通過時刻が平均通過時刻より遅い場合」と対応付く項目「メッセージ」の値は、携帯端末３００の街路灯１００を通過した時刻が、平均通過時刻より遅い時刻である場合に、携帯端末３００が次の街路灯１００を通過した際に携帯端末３００へ送信されるメッセージを示す。
【０１２１】
したがって、本実施形態の点灯形態情報には、ユーザＩＤ、端末ＩＤ、通過時刻が平均通過時刻より遅い場合の点灯形態を示す情報とメッセージ、移動時間が平均移動時間より長い場合の点灯形態を示す情報とメッセージが含まれる。言い換えれば、本実施形態のユーザデータベース２２０Ａには、ユーザの街路灯１００の通過時刻又は街路灯１００間の移動時間と、後述する統計情報との比較結果に対応した点灯形態を示す情報と、メッセージとが格納されている。
【０１２２】
項目「移動時間が平均移動時間より長い場合」は、項目「点灯形態」と項目「メッセージ」と対応付けられている。項目「移動時間が平均移動時間より長い場合」と対応付く項目「点灯形態」の値は、携帯端末３００か通過した街路灯１００と、その直前に通過した街路灯１００との間の移動時間が、平均移動時間より長い場合に、次の街路灯１００へ送信される点灯形態を示す情報である。
【０１２３】
項目「移動時間が平均移動時間より長い場合」と対応付く項目「メッセージ」の値は、携帯端末３００か通過した街路灯１００と、その直前に通過した街路灯１００との間の移動時間が、平均移動時間より長い場合に、携帯端末３００が次の街路灯１００を通過した際に携帯端末３００へ送信されるメッセージを示す。
【０１２４】
図１１の例では、例えば、ユーザＩＤ「００１」のユーザと対応付けられた端末ＩＤ「１０１」が街路灯１００を通過したときの通過時刻が平均通過時刻より遅い時刻である場合、に、次の街路灯１００の点灯形態を「黄色で点滅」とすることがわかる。また、図１１の例では、ユーザＩＤ「００１」のユーザと対応付けられた端末ＩＤ「１０１」が街路灯１００を通過したときの通過時刻が平均通過時刻より遅い時刻である場合、端末ＩＤ「１０１」が次の街路灯１００を通過した際に、端末ＩＤ「１０１」の携帯端末３００に「今日は遅かったですね。」というメッセージが送信されることがわかる。
【０１２５】
図１２は、第二の実施形態の統計データベースの一例を示す図である。統計データベース２３０Ａは、情報の項目として、端末ＩＤ、通過時刻、平均通過時刻、移動時間、平均移動時間を有する。したがって、本実施形態の統計情報には、通過時刻、平均通過時刻、移動時間、平均移動時間を含む。
【０１２６】
項目「平均通過時刻」の値は、過去の通過時刻の平均値を示す。具体的には、例えば、所定の時間帯において、最も遅い通過時刻から順に取得した所定個数の通過時刻の平均値であっても良い。
【０１２７】
項目「平均移動時間」の値は、過去の移動時間の平均値を示す。具体的には、例えば、所定の時間帯において、最も長い移動時間から順に取得した所定個数の移動時間の平均値であっても良い。
【０１２８】
次に、図１３を参照して、本実施形態の情報発信システム１Ａの有する各装置の機能について説明する。図１３は、第二の実施形態の情報発信システムの有する各装置の機能を説明する図である。
【０１２９】
本実施形態の情報発信装置２００Ａは、情報発信処理部２４０Ａを有する。本実施形態の情報発信処理部２４０Ａは、入力受付部２４１、通信部２４２、通過検出部２４３、移動時間算出部２４４、点灯制御部２４５、平均算出部２４６、統計情報格納部２４７、メッセージ送信部２４８を有する。
【０１３０】
本実施形態の平均算出部２４６は、平均通過時刻と平均移動時間を算出する。本実施形態の統計情報格納部２４７は、平均算出部２４６で算出された平均通過時刻と平均移動時間とを端末ＩＤと対応付けて、統計データベース２３０Ａに格納する。
【０１３１】
本実施形態のメッセージ送信部２４８は、ユーザデータベース２２０Ａを参照し、通過時刻や移動時間と対応したメッセージを取得し、携帯端末３００に送信する。
【０１３２】
次に、図１４を参照して、本実施形態の情報発信装置２００Ａの動作を説明する。図１４は、第二の実施形態の情報発信装置の動作を説明するフローチャートである。
【０１３３】
図１４のステップＳ１４０１からステップＳ１４０４までの処理は、ステップＳ１４０３において、該当する端末検出情報が格納されていない場合に、後述するステップＳ１４０７へ進む点以外は、図９のステップＳ９０１からステップＳ９０４までの処理と同様であるから、説明を省略する。
【０１３４】
ステップＳ１４０４に続いて、情報発信処理部２４０Ａは、平均算出部２４６により、統計データベース２３０を参照して、平均通過時刻を算出し、統計情報格納部２４７により、受信した端末検出情報と対応付けて統計データベース２３０へ格納する（ステップＳ１４０５）。
【０１３５】
具体的には、平均算出部２４６は、例えば、統計データベース２３０に格納された通過時刻のうち、受信した端末検出情報に含まれる通過時刻を含む所定の時間帯において、最も遅い時刻から順に通過時刻を複数取得し、これらの平均を平均通過時刻としても良い。本実施形態では、このように、通過時刻の中でも、遅い時刻の通過時刻を用いて平均通過時刻を算出することで、携帯端末３００が街路灯１００の近傍を通過した時刻が、通常よりも遅い時刻であるか否かを判定することができる。
【０１３６】
続いて、平均算出部２４６は、統計データベース２３０を参照して、平均移動時間を算出し、統計情報格納部２４７により、受信した端末検出情報と対応付けて統計データベース２３０へ格納する（ステップＳ１４０６）。
【０１３７】
具体的には、平均算出部２４６は、例えば、統計データベース２３０に格納された移動時間のうち、受信した端末検出情報に含まれる通過時刻を含む所定の時間帯において、最も長い移動時間から順に移動時間を複数取得し、これらの平均を平均移動時間としても良い。本実施形態では、このように、移動時間の中でも、長い移動時間を用いて平均移動時間を算出することで、携帯端末３００のユーザによる街路灯１００間の移動時間が、通称よりも長い時間であるか否かを判定することができる。
【０１３８】
ステップＳ１４０７とステップＳ１４０８の処理は、ステップＳ１４０７で通過時刻が平均通過時刻より遅い時刻でない場合に、後述するステップＳ１４１０へ進む以外は、図９のステップＳ９０５とステップＳ９０６の処理と同様であるから、説明を省略する。
【０１３９】
ステップＳ１４０８に続いて、情報発信処理部２４０Ａは、メッセージ送信部２４８により、ユーザデータベース２２０Ａを参照し、通過時刻が平均通過時刻よりも遅い場合における、端末検出情報に含まれる端末ＩＤと対応するメッセージを取得する（ステップＳ１４０７）。
【０１４０】
ステップＳ１４０８とステップＳ１４０９の処理は、ステップＳ１４０８で移動時間が平均移動時間より長くない場合に、後述するステップＳ１４１３へ進む以外は、図９のステップＳ９０７とステップＳ９０８の処理と同様であるから、説明を省略する。
【０１４１】
ステップＳ１４１１に続いて、メッセージ送信部２４８は、取得したメッセージを端末ＩＤで特定される携帯端末３００へ送信する（ステップＳ１４１２）。
【０１４２】
ステップＳ１４１３からステップＳ１４１５の処理は、ステップＳ１４１４で点灯形態を示す情報が送信されていない場合に、後述するステップＳ１４１７へ進む以外は、図９のステップＳ９０９からステップＳ９１１の処理と同様であるから、説明を省略する。  
ステップＳ１４１５に続いて、メッセージ送信部２４８は、取得したメッセージを端末ＩＤで特定される携帯端末３００へ送信する（ステップＳ１４１６）。
【０１４３】
尚、本実施形態では、通過時刻が平均通過時刻より遅く、且つ、移動時間が平均移動時間よりも長い場合には、メッセージ送信部２４８は、何れか一方に対応するメッセージ
を携帯端末３００に送信しても良い。この場合、送信するメッセージには、優先順位が付与されていても良く、メッセージ送信部２４８は、優先順位に応じてメッセージを携帯端末３００に送信しても良い。さらに、本実施形態では、ユーザデータベース２２０Ａにおいて、通過時刻が平均通過時刻より遅く、且つ、移動時間が平均移動時間よりも長い場合と対応するメッセージが格納されていても良い。この場合、メッセージ送信部２４８は、端末ＩＤと対応する統計情報において、通過時刻が平均通過時刻より遅く、且つ、移動時間が平均移動時間よりも長い場合に、このメッセージを携帯端末３００に送信しても良い。
【０１４４】
ステップＳ１４１７の処理は、図９のステップＳ９１２の処理と同様であるから、説明を省略する。
【０１４５】
次に、図１５及び図１６を参照して、本実施形態の携帯端末３００におけるメッセージの表示について説明する。
【０１４６】
図１５は、第二の実施形態の携帯端末の表示例を示す第一の図である。図１５に示す画面３０１は、例えば、携帯端末３００のユーザＩＤ「Ｕ００１」のユーザが、街路灯１００−１を通過したときの通過時刻が、平均通過時刻よりも遅い場合の携帯端末３００の表示例を示す（図１参照）。
【０１４７】
この場合、情報発信装置２００Ａは、ユーザＩＤ「Ｕ００１」のユーザが、次の街路灯１００−２を通過したとき、ユーザデータベース２２０Ａにおいて、ユーザＩＤ「Ｕ００１」と対応する「通過時刻が平均通過時刻よりも遅い場合」のメッセージを取得する。そして、情報発信装置２００Ａは、ユーザＩＤ「Ｕ００１」と対応付けられた端末ＩＤ「１０１」で特定される携帯端末３００に対し、取得したメッセージを送信する。
【０１４８】
図１５の画面３０１には、情報発信装置２００Ａから受信したメッセージ３０２が、ポップアップ形式で表示されている。ここでは、メッセージ３０２として、「今日は遅かったですね。」が画面３０１へ表示される（図１１参照）。
【０１４９】
図１６は、第二の実施形態の携帯端末の表示例を示す第二の図である。図１６に示す画面３０１Ａは、例えば、携帯端末３００のユーザＩＤ「Ｕ００」のユーザが、街路灯１００−１から街路灯１００−２までの移動時間が、平均移動時間よりも長い場合の携帯端末３００の表示例を示す（図１参照）。
【０１５０】
この場合、情報発信装置２００Ａは、ユーザＩＤ「Ｕ００１」のユーザが、次の街路灯１００−３を通過したとき、ユーザデータベース２２０Ａにおいて、ユーザＩＤ「Ｕ００１」と対応する「移動時間が平均移動時間よりも長い場合」のメッセージを取得する。そして、情報発信装置２００Ａは、ユーザＩＤ「Ｕ００１」と対応付けられた端末ＩＤ「１０１」で特定される携帯端末３００に対し、取得したメッセージを送信する。
【０１５１】
図１６の画面３０１Ａには、情報発信装置２００Ａから受信したメッセージ３０３が、ポップアップ形式で表示されている。ここでは、メッセージ３０３として、「大丈夫ですか？」が画面３０１Ａへ表示される（図１１参照）。
【０１５２】
したがって、本実施形態によれば、ユーザの行動パターン等に変化があることを、街路灯１００の点灯形態を変更させることに加えて、メッセージによっても通知することができる。
【０１５３】
また、本実施形態は、例えば、ジョギング等を行うユーザにとっては、自身が走るペースを把握するために利用することができる。
【０１５４】
例えば、ユーザＰは、街路灯１００−１から街路灯１００−３を含むコースをジョギングするものとする。この場合、２つの街路灯１００の間の移動時間によって、走るペースが遅くなっているか否かを、ユーザＰに通知することができる。
【０１５５】
具体的には、例えば、ユーザＰの街路灯１００−１から街路灯１００−２までの移動時間が、平均移動時間より長かったとする。この場合、情報発信装置２００Ａは、次の街路灯１００−３から端末検出情報を受信したとき、ユーザＰと対応付けられた携帯端末３００に対し、走るペースが遅くなっていることを示すメッセージを送信しても良い。また、例えば、ユーザＰの街路灯１００−１から街路灯１００−２までの移動時間が平均移動時間よりも大幅に短い場合等に、走るペースが速いことを示すメッセージを携帯端末３００に送信しても良い。
【０１５６】
このように、本実施形態によれば、街路灯を有効に活用することができる。
【０１５７】
（第三の実施形態）
以下に図面を参照して、第三の実施形態について説明する。第三の実施形態は、ユーザの携帯端末３００が街路灯間を通過しなかった場合に、他のユーザの携帯端末３００が街路灯間を通過していないことを通知する点が、第二の実施形態と相違する。よって、以下の第三の実施形態の説明では、第二の実施形態との相違点についてのみ説明し、第二の実施形態と同様の機能構成を有するものには、第二の実施形態の説明で用いた符号と同様の符号を付与し、その説明を省略する。
【０１５８】
図１７は、第三の実施形態の情報発信システムのシステム構成の一例を示す図である。実施形態の情報発信システム１Ｂは、街路灯１００−１、１００−２、１００−３と、情報発信装置２００Ｂと、携帯端末３００と、を有する。
【０１５９】
本実施形態の情報発信装置２００Ｂは、街路灯データベース２１０、ユーザデータベース２２０Ｂ、統計データベース２３０Ｂ、情報発信処理部２４０Ｂを有する。
【０１６０】
尚、図１０の例では、情報発信システム１Ｂには、街路灯１００、情報発信装置２００Ｂ、携帯端末３００が含まれるものとしているが、これに限定されない。本実施形態では、街路灯１００と情報発信装置２００Ｂとを含む情報発信システム１０Ｂとしても良い。
【０１６１】
次に、図１８及び図１９を参照して、本実施形態のユーザデータベース２２０Ｂと統計データベース２３０Ｂについて説明する。
【０１６２】
図１８は、第三の実施形態のユーザデータベースの一例を示す図である。本実施形態のユーザデータベース２２０Ｂは、情報の項目として、ユーザＩＤ、ユーザ名、端末ＩＤ、送信先端末ＩＤ、通過時刻が平均通過時刻より遅い場合、移動条件が平均移動時間より長い場合、一定時間通過していない場合のメッセージを有する。
【０１６３】
項目「ユーザ名」の値は、ユーザＩＤによって特定されるユーザの名前を示す。ユーザの名前は、例えば、ユーザの氏名であっても良いし、ニックネーム等であっても良い。
【０１６４】
項目「送信先端末ＩＤ」の値は、メッセージの送信先となる他の携帯端末３００を
特定するための識別情報である。
【０１６５】
項目「一定時間通過していない場合のメッセージ」の値は、２つの街路灯１００の間を、端末ＩＤによって特定される携帯端末３００が通過しない場合に、送信先端末ＩＤにより特定される携帯端末３００に送信されるメッセージを示す。
【０１６６】
図１８の例では、例えば、端末ＩＤ「１０１」の携帯端末３００が、街路灯１００−１から街路灯１００−２の間を一定時間通過しない場合、送信先端末ＩＤ「２０１」の携帯端末３００に「ＡＡさんは、○時○分から×時×分までの間、××から○○までを通過していません。」というメッセージが送信される。
【０１６７】
本実施形態では、例えば、ユーザＩＤとユーザ名を、通学する児童のものとし、端末ＩＤを児童が所持する携帯端末３００とし、送信先端末ＩＤを、児童の保護者の携帯端末３００としても良い。
【０１６８】
この場合、児童の所持する携帯端末３００は、スマートフォン等の通話機能や、メッセージを表示させるための表示機能を有しておらず、ビーコン信号に対して応答を返す通信機能のみを有するものであっても良い。
【０１６９】
図１９は、第三の実施形態の統計データベースの一例を示す図である。本実施形態の統計データベース２３０Ｂは、情報の項目として、端末ＩＤ、街路灯ＩＤ、通過時刻、平均通過時刻、移動時間、平均移動時間を有する。したがって、本実施形態の統計情報には、端末ＩＤ、街路灯ＩＤ、通過時刻、平均通過時刻、移動時間、平均移動時間を含む。
【０１７０】
項目「街路灯ＩＤ」の値は、情報発信装置２００Ｂに対して端末検出情報を送信した街路灯１００を特定する識別情報である。したがって、本実施形態の端末検出情報は、端末
ＩＤと、街路灯ＩＤと、通過時刻とを含む。
【０１７１】
次に、図２０を参照して、本実施形態の情報発信システム１Ｂの有する各装置の機能について説明する。図２０は、第三の実施形態の情報発信システムの有する各装置の機能を説明する図である。
【０１７２】
本実施形態の情報発信装置２００Ａは、情報発信処理部２４０Ａを有する。本実施形態の情報発信処理部２４０Ａは、入力受付部２４１、通信部２４２、通過検出部２４３、移動時間算出部２４４、点灯制御部２４５、平均算出部２４６、統計情報格納部２４７、メッセージ送信部２４８、通過有無判定部２４９を有する。
【０１７３】
通過有無判定部２４９は、端末ＩＤによって特定される携帯端末３００が、街路灯１００間を一定時間内に通過したか否かを判定する。尚、一定時間は、予め設定されていても良いし、統計データベース２３０Ｂの平均通過時刻等に基づき算出されても良い。
【０１７４】
次に、図２１を参照して、本実施形態の情報発信装置２００Ｂの動作について説明する。図２１は、第三の実施形態の情報発信装置の動作を説明するフローチャートである。
【０１７５】
図２１のステップＳ２１０１からステップＳ２１０７の処理は、ステップＳ２１０１及びステップＳ２１１３において端末検出情報を受信しない場合に、ステップＳ２１１８とステップＳ２１２１へ進む点以外は、図１４のステップＳ１４０１からステップＳ１４１７までの処理と同様であるから、説明を省略する。
【０１７６】
図２１のステップＳ２１０１において、端末検出情報を受信していない場合、情報発信処理部２４０Ｂは、通過有無判定部２４９は、一定時間が経過したか否かを判定する（ステップＳ２１１８）。ステップＳ２１１８において、一定時間が経過していない場合、情報発信処理部２４０ＢはステップＳ２１０１へ戻る。
【０１７７】
ステップＳ２１１８において、一定時間が経過した場合、通過有無判定部２４９は、ユーザデータベース２２０Ｂに格納されたユーザＩＤが特定するユーザが、通過すべき街路灯を通過していないものと判定する。そして、通過有無判定部２４９は、ユーザデータベース２２０Ｂから、ユーザＩＤと対応する送信先端末ＩＤと、一定時間通過していない場合のメッセージとを取得する（ステップＳ２１１９）。
【０１７８】
続いて、情報発信処理部２４０Ｂは、メッセージ送信部２４８により、取得したメッセージを送信先端末ＩＤによって特定される携帯端末３００へ送信し、ステップＳ２１１７へ戻る。
【０１７９】
ステップＳ２１１３において、次の街路灯１００から端末検出情報を受信しない場合、情報発信処理部２４０Ｂは、後述するステップＳ２１２１へ進む。
【０１８０】
情報発信処理部２４０Ｂは、通過有無判定部２４９により、一定時間が経過したか否かを判定する（ステップＳ２１２１）。ステップＳ２１２１において、一定時間が経過していない場合、情報発信処理部２４０ＢはステップＳ２１１３へ戻る。
【０１８１】
ステップＳ２１２１において、一定時間が経過した場合、情報発信処理部２４０Ｂは、後述するステップＳ２１２２へ進む。
【０１８２】
ステップＳ２１２２とステップＳ２１２３の処理は、ステップＳ２１１９とステップＳ２１２０の処理と同様であるから、説明を省略する。
【０１８３】
尚、本実施形態では、通過時刻が平均通過時刻より遅い場合のメッセージや、移動時間が平均移動時間よりも長い場合のメッセージも、送信先端末ＩＤによって特定される携帯端末３００に送信されても良い。
【０１８４】
図２２は、第三の実施形態の携帯端末の表示例を示す図である。図２２の画面３０６では、メッセージ３０７が表示されている。
【０１８５】
メッセージ３０７は、例えば、端末ＩＤ「１０１」の携帯端末３００が、街路灯１００−１を通過してから一定時間の間、街路灯１００−２の近傍を通過しない場合に、送信先端末ＩＤ「２０１」の携帯端末３００に表示される。
【０１８６】
このメッセージ３０７によれば、端末ＩＤ「１０１」と対応するユーザＩＤ「Ｕ１０１」のユーザが、街路灯１００−１を通過した後に、街路灯１００−２を一定時間通過していないことを、送信先端末ＩＤ「２０１」の携帯端末３００のユーザに通知することができる。
【０１８７】
例えば、本実施形態では、ユーザデータベース２２０Ｂにおいて、通学路が決められている児童毎にユーザＩＤを付与しても良い。そして、本実施形態では、児童が所持する携帯端末３００を識別する識別情報を端末ＩＤとし、児童の保護者が所持する携帯端末３００を識別する識別情報を送信先端末ＩＤとしても良い。また、本実施形態では、例えば、送信先端末ＩＤによって特定される携帯端末３００を例えば、学校の教師が所持している携帯端末３００等としても良い。送信先端末ＩＤによって特定される携帯端末３００は、ユーザＩＤと対応付けられた端末ＩＤによって特定される携帯端末３００とは別の送信先であれば良い。
【０１８８】
さらに、本実施形態の情報発信装置２００Ｂでは、ユーザＩＤ毎に、児童の通学路に設置された街路灯ＩＤが対応付けられていても良い。
【０１８９】
このようにすれば、例えば、児童が通学路から外れた場所へ移動した場合や、通学路を歩くペースや時間帯の変化等を、児童の保護者に通知することができる。したがって、本実施形態によれば、児童の通学を見守ることができる。
【０１９０】
このように、本実施形態によれば、ユーザの状況に応じて街路灯の点灯を制御することができる。
【０１９１】
開示の技術では、以下に記載する付記のような形態が考えられる。
（付記１）
ユーザの複数の街路灯のそれぞれの通過時刻を検出する通過検出部と、
前記通過時刻又は各街路灯の通過時刻から算出される街路灯間の移動時間に応じて、前記複数の街路灯の少なくとも１つの点灯形態を制御する点灯制御部と、を有する情報発信装置。
（付記２）
前記点灯制御部は、
前記ユーザ毎の前記各街路灯の通過時刻に関する統計情報を参照し、前記各街路灯の前記通過時刻又は前記街路灯間の移動時間と、前記統計情報との比較結果に応じて、前記街路灯の点灯形態を制御する、付記１記載の情報発信装置。
（付記３）
前記点灯制御部は、
前記通過時刻又は前記街路灯間の移動時間と前記統計情報との比較結果と、点灯形態とが対応付けられた情報を参照し、
前記街路灯の点灯形態を、前記比較結果と対応する点灯形態に変更させる、付記２記載の情報発信装置。
（付記４）
前記統計情報は、
前記通過時刻のうち、所定の時間帯における最も遅い通過時刻から、通過時刻が遅い順に取得した所定個数の通過時刻の平均値である平均通過時刻と、
前記移動時間のうち、所定の時間帯における最も長い移動時間から、前記移動時間が長い順に取得した所定個数の通過時刻の平均値である平均移動時間と、を含み、
前記点灯制御部は、
前記通過時刻が前記平均通過時刻よりも遅い場合と、前記移動時間が前記平均移動時間より長い場合とにおいて、前記街路灯の点灯形態を制御する、付記１乃至３の何れか一項に記載の情報発信装置。
（付記５）
前記通過検出部は、
前記街路灯から、前記ユーザと対応付けられた携帯端末から送信された、前記街路灯から発信された信号に対する応答信号を受信した時刻を含む端末検出情報を受信し、前記端末検出情報に含まれる時刻を前記ユーザの通過時刻として検出する、付記１乃至４の何れか一項に記載の情報発信装置。
（付記６）
前記点灯制御部は、
前記ユーザが通過した第一の街路灯の次に前記ユーザが通過する第二の街路灯から、前記端末検出情報を受信したとき、
前記ユーザの前記第一の街路灯の通過時刻又は、前記第一の街路灯から前記第二の街路灯までの移動時間に応じて、前記第二の街路灯の点灯形態を制御する、付記１乃至５の何れか一項に記載の情報発信装置。
（付記７）
前記通過時刻又は前記街路灯間の移動時間に応じて、前記ユーザと対応付けられた携帯端末へメッセージを送信するメッセージ送信部を有する付記１乃至６の何れか一項に記載の情報発信装置。
（付記８）
前記メッセージ送信部は、
前記通過時刻又は前記街路灯間の移動時間と前記統計情報との比較結果と、メッセージとが対応付けられた情報を参照し、前記比較結果と対応したメッセージを前記携帯端末へ送信する付記７記載の情報発信装置。
（付記９）
前記ユーザが前記街路灯間を一定時間以内に通過したか否かを判定する通過有無判定部を有し、
前記メッセージ送信部は、
前記ユーザが前記街路灯間を通過していない場合に、前記街路灯が設置された場所を示す情報と、前記ユーザが前記街路灯間を通過していないことを示すメッセージと、を、前記ユーザと対応付けられた携帯端末とは別の出力先へ送信する、付記７又は８記載の情報発信装置。
（付記１０）
コンピュータによる情報発信方法であって、該コンピュータが、
ユーザの複数の街路灯のそれぞれの通過時刻を検出し、
前記通過時刻又は各街路灯の通過時刻から算出される街路灯間の移動時間に応じて、前記複数の街路灯の少なくとも１つの点灯形態を制御する、情報発信方法。
（付記１１）
ユーザの複数の街路灯のそれぞれの通過時刻を検出する処理と、
前記通過時刻又は各街路灯の通過時刻から算出される街路灯間の移動時間に応じて、前記複数の街路灯の少なくとも１つの点灯形態を制御する処理と、をコンピュータに実行させる情報発信プログラム。
（付記１２）
複数の街路灯と、
前記情報発信システムは、
ユーザの前記複数の街路灯のそれぞれの通過時刻を検出する通過検出部及び、前記通過時刻又は各街路灯の通過時刻から算出される街路灯間の移動時間に応じて、前記複数の街路灯の少なくとも１つの点灯形態を制御する点灯制御部と、を有する情報発信装置と、
を有する情報発信システム。
【０１９２】
本発明は、具体的に開示された実施形態に限定されるものではなく、特許請求の範囲から逸脱することなく、種々の変形や変更が可能である。
【符号の説明】
【０１９３】
１、１Ａ、１０、１０Ａ  情報発信システム
１００  街路灯
１１０  通知制御部
２００、２００Ａ、２００Ｂ  情報発信装置
２１０  街路灯データベース
２２０、２２０Ａ、２２０Ｂ  ユーザデータベース
２３０、２３０Ａ、２３０Ｂ  統計データベース
２４０、２４０Ａ、２４０Ｂ  情報発信処理部
２４１  入力受付部
２４２  通信部
２４３  通過検出部
２４４  移動時間算出部
２４５  点灯制御部
２４６  平均算出部
２４７  統計情報格納部
２４８  メッセージ送信部
２４９  通過有無判定部
３００  携帯端末
３１０  街路灯通信部
【図１】
2019114365.tif 000003
【図２】
2019114365.tif 000004
【図３】
2019114365.tif 000005
【図４】
2019114365.tif 000006
【図５】
2019114365.tif 000007
【図６】
2019114365.tif 000008
【図７】
2019114365.tif 000009
【図８】
2019114365.tif 000010
【図９】
2019114365.tif 000011
【図１０】
2019114365.tif 000012
【図１１】
2019114365.tif 000013
【図１２】
2019114365.tif 000014
【図１３】
2019114365.tif 000015
【図１４】
2019114365.tif 000016
【図１５】
2019114365.tif 000017
【図１６】
2019114365.tif 000018
【図１７】
2019114365.tif 000019
【図１８】
2019114365.tif 000020
【図１９】
2019114365.tif 000021
【図２０】
2019114365.tif 000022
【図２１】
2019114365.tif 000023
【図２２】
2019114365.tif 000024